(57)【要約】【課題】簡単に、ユーザーが所望の無線端末と無線アクセスポイントとを無線接続させることを可能にすること。【解決手段】ＡＶレシーバー１１において、制御部１２は、通信設定の完了を報知した後、所定時間ｔ内にプッシュボタン１５１の操作がある場合に、通信部１９により無線アクセスポイント２１に通信設定が完了した旨を通知する。また、制御部１２は、通信設定の完了を報知した後、所定時間ｔ内にプッシュボタン１５１の操作がない場合に、通信設定を解除する。【選択図】図２
2015167322.tif 000002
【特許請求の範囲】
【請求項１】
無線アクセスポイントと通信を行うための通信設定の開始を指示するための第１操作部と、
前記無線アクセスポイントと通信を行うための第１通信部と、
前記通信設定の完了を報知するための第１報知部と、
前記第１操作部の操作により、前記通信設定を開始し、
前記通信設定を完了した後、前記第１報知部により前記通信設定の完了を報知し、
前記通信設定の完了を報知した後、所定時間内に前記第１操作部の操作がある場合に、前記第１通信部により前記無線アクセスポイントに前記通信設定が完了した旨を通知し、
前記通信設定の完了を報知した後、前記所定時間内に前記第１操作部の操作がない場合に、前記通信設定を解除する第１制御部と、
を備えることを特徴とする無線端末。
【請求項２】
前記第１報知部は、発光ダイオードであり、
前記第１制御部は、前記通信設定を完了した後、前記第１報知部を点灯させることにより前記通信設定の完了を報知することを特徴とする請求項１に記載の無線端末。
【請求項３】
無線端末と通信を行うための通信設定の開始を指示するための第２操作部と、
前記無線端末と通信を行うための第２通信部と、
前記通信設定の完了を報知するための第２報知部と、
前記第２操作部の操作により、前記通信設定を開始し、
前記通信設定を完了した後、前記第２報知部により前記通信設定の完了を報知し、
前記通信設定の完了を報知した後、所定時間内に前記第２操作部の操作がある場合に、前記第２通信部により前記無線アクセスポイントに前記通信設定が完了した旨を通知し、
前記通信設定の完了を報知した後、前記所定時間内に前記第２操作部の操作がない場合に、前記通信設定を解除する第２制御部と、
を備えることを特徴とする無線アクセスポイント。
【請求項４】
前記第２報知部は、発光ダイオードであり、
前記第２制御部は、前記通信設定を完了した後、前記第２報知部を点灯させることにより前記通信設定の完了を報知することを特徴とする請求項３に記載の無線アクセスポイント。
【発明の詳細な説明】
【技術分野】
【０００１】
本発明は、無線端末、及び、無線端末と無線ＬＡＮ（Local Area Network）を介して通信する無線アクセスポイントに関する。
【背景技術】
【０００２】
無線端末と無線アクセスポイントとが無線ＬＡＮを介して通信を行うために、ＷＰＳ（Wi-Fi Protected Setup）というセキュリティ設定プロトコルが作成されている。このＷＰＳは、セキュリティ設定を無線端末と無線アクセスポイントへ安全に配布することを目的に作成されている。
【０００３】
ＷＰＳには、ＰＢＣ（Push Button Configuration）方式とＰＩＮ（Personal Identification Number）方式の２種類の接続方式がある。ＰＢＣ方式では、無線端末と無線アクセスポイントとにそれぞれ付属しているプッシュボタン（ＷＰＳボタン）が押されることにより、無線端末と無線アクセスポイントとが通信を行うための通信設定を開始する（例えば、特許文献１参照。）。ここで、ユーザーは、両方の装置のプッシュボタンを押す必要があるため、プッシュボタンを押すタイミングによっては、無線アクセスポイントが、無線アクセスポイントに無線接続させたい無線端末とは別の無線端末と通信設定を行う可能性がある。
【先行技術文献】
【特許文献】
【０００４】
【特許文献１】特開２００９−０６５３５７号公報
【発明の概要】
【発明が解決しようとする課題】
【０００５】
無線アクセスポイントが、無線アクセスポイントに無線接続させたい無線端末とは別の無線端末と通信設定を行う可能性を回避するため、無線アクセスポイントに無線端末のＭＡＣアドレスを登録しておき、無線アクセスポイントが、ＭＡＣアドレスが登録されている無線端末と通信設定を行うようにすることも可能である（ＭＡＣアドレスフィルタリング）。しかしながら、ユーザーは、無線アクセスポイントに無線端末のＭＡＣアドレスを登録する必要があり、一般ユーザーにとっては、難しい作業となる。また、新たな無線端末を無線アクセスポイントに無線接続させる場合、その無線端末のＭＡＣアドレスを登録する必要があり、ユーザーにとって不便である。
【０００６】
本発明の目的は、簡単に、ユーザーが所望の無線端末と無線アクセスポイントとを無線接続させることを可能にすることである。
【課題を解決するための手段】
【０００７】
第１の発明の無線端末は、無線アクセスポイントと通信を行うための通信設定の開始を指示するための第１操作部と、前記無線アクセスポイントと通信を行うための第１通信部と、前記通信設定の完了を報知するための第１報知部と、前記第１操作部の操作により、前記通信設定を開始し、前記通信設定を完了した後、前記第１報知部により前記通信設定の完了を報知し、前記通信設定の完了を報知した後、所定時間内に前記第１操作部の操作がある場合に、前記第１通信部により前記無線アクセスポイントに前記通信設定が完了した旨を通知し、前記通信設定の完了を報知した後、前記所定時間内に前記第１操作部の操作がない場合に、前記通信設定を解除する第１制御部と、を備えることを特徴とする。
【０００８】
本発明では、第１制御部は、通信設定を完了した後、第１報知部により通信設定の完了を報知する。これにより、ユーザーは、その無線端末の通信設定が完了したことを把握することができる。また、第１制御部は、通信設定の完了を報知した後、所定時間内に第１操作部の操作がない場合に、通信設定を解除する。これにより、ユーザーは、無線端末が通信設定の完了を報知した後、所定時間待機することにより、無線アクセスポイントに無線接続させようとしていない無線端末の通信設定を解除させることができる。また、第１制御部は、通信設定の完了を報知した後、所定時間内に第１操作部の操作がある場合に、第１通信部により無線アクセスポイントに通信設定が完了した旨を通知し、無線アクセスポイントとの無線接続を確立する。これにより、ユーザーは、無線端末が通信設定の完了を報知した後、所定時間内に第１操作部を操作することで、無線端末に無線アクセスポイントとの無線接続を確立させることができる。このように、本発明によれば、ユーザーは、第１操作部の操作の有無により、無線接続を確立するか否かを選択することができるため、簡単に、所望の無線端末と無線アクセスポイントとを無線接続させることができる。
【０００９】
第２の発明の無線端末は、第１の発明の無線端末において、前記第１報知部は、発光ダイオードであり、前記第１制御部は、前記通信設定を完了した後、前記第１報知部を点灯させることにより前記通信設定の完了を報知することを特徴とする。
【００１０】
本発明では、第１制御部は、通信設定を完了した後、発光ダイオードである第１報知部を点灯させることにより通信設定の完了を報知する。従って、簡単な構成で、通信設定の完了を報知することができる。
【００１１】
第３の発明の無線アクセスポイントは、無線端末と通信を行うための通信設定の開始を指示するための第２操作部と、前記無線端末と通信を行うための第２通信部と、前記通信設定の完了を報知するための第２報知部と、前記第２操作部の操作により、前記通信設定を開始し、前記通信設定を完了した後、前記第２報知部により前記通信設定の完了を報知し、前記通信設定の完了を報知した後、所定時間内に前記第２操作部の操作がある場合に、前記第２通信部により前記無線アクセスポイントに前記通信設定が完了した旨を通知し、前記通信設定の完了を報知した後、前記所定時間内に前記第２操作部の操作がない場合に、前記通信設定を解除する第２制御部と、を備えることを特徴とする。
【００１２】
本発明では、第２制御部は、通信設定を完了した後、第２報知部により通信設定の完了を報知する。これにより、ユーザーは、その無線アクセスポイントの通信設定が完了したことを把握することができる。また、第２制御部は、通信設定の完了を報知した後、所定時間内に第２操作部の操作がない場合に、通信設定を解除する。これにより、ユーザーは、無線アクセスポイントが通信設定の完了を報知した後、所定時間待機することにより、無線端末に無線接続させようとしていない無線アクセスポイントの通信設定を解除させることができる。また、第２制御部は、通信設定の完了を報知した後、所定時間内に第２操作部の操作がある場合に、第２通信部により無線アクセスポイントに通信設定が完了した旨を通知し、無線端末との無線接続を確立する。これにより、ユーザーは、無線アクセスポイントが通信設定の完了を報知した後、所定時間内に第２操作部を操作することで、無線アクセスポイントに無線端末との無線接続を確立させることができる。このように、本発明によれば、ユーザーは、第２操作部の操作の有無により、無線接続を確立するか否かを選択することができるため、簡単に、所望の無線端末と無線アクセスポイントとを無線接続させることができる。
【００１３】
第４の発明の無線アクセスポイントは、第３の発明の無線アクセスポイントにおいて、前記第２報知部は、発光ダイオードであり、前記第２制御部は、前記通信設定を完了した後、前記第２報知部を点灯させることにより前記通信設定の完了を報知することを特徴とする。
【００１４】
本発明では、第２制御部は、通信設定を完了した後、発光ダイオードである第２報知部を点灯させることにより通信設定の完了を報知する。従って、簡単な構成で、通信設定の完了を報知することができる。
【発明の効果】
【００１５】
本発明によれば、ユーザーは、簡単に、所望の無線端末と無線アクセスポイントとを無線接続させることができる。
【図面の簡単な説明】
【００１６】
【図１】本発明の実施形態に係る無線ＬＡＮシステムの構成を示すブロック図である。
【図２】ＡＶレシーバーと無線アクセスポイントとが無線接続を確立するシーケンスを示す図である。
【図３】通信設定の完了を報知した後、所定時間内にプッシュボタンの操作がない場合のシーケンスを示す図である。
【図４】無線アクセスポイントとの無線接続を確立する場合のＡＶレシーバーの処理動作を示すフローチャートである。
【図５】ＡＶレシーバーとの無線接続を確立する場合の無線アクセスポイントの処理動作を示すフローチャートである。
【発明を実施するための形態】
【００１７】
以下、本発明の実施形態について説明する。図１は、本実施形態に係る無線ＬＡＮシステムの構成を示すブロック図である。無線ＬＡＮシステム１は、ＡＶレシーバー１１と、無線アクセスポイント２１と、を備える。ＡＶレシーバー１１と無線アクセスポイント２１とは、無線ＬＡＮを介して通信する。
【００１８】
（ＡＶレシーバー）
ＡＶレシーバー１１（無線端末）について説明する。ＡＶレシーバー１１は、ＢＤ（Blu-ray（登録商標） Disc）プレーヤー２００から入力される音声信号に増幅等の音声処理を行ってスピーカー１００に出力する機能を有する。また、ＡＶレシーバー１１は、ＢＤプレーヤー２００から入力される映像信号にスケーラ変換等の映像処理を行ってＴＶ受像機３００に出力する機能を有する。
【００１９】
図１に示すように、ＡＶレシーバー１１は、制御部１２、記憶部１３、表示部１４、操作部１５、デジタル信号送受信部１６、音声処理部１７、映像処理部１８、通信部１９等を備えている。制御部１１（第１制御部）は、記憶部１２に記憶された制御プログラムに従って、ＡＶレシーバー１１を構成する各部を制御する。記憶部１３は、制御部１２の主メモリとして機能するＲＡＭ（Random Access Memory）、制御プログラムを記憶するＲＯＭ（Read Only Memory）から構成されている。なお、記憶部１３は、例示する構成に限られず、フラッシュメモリやＨＤＤ（Hard Disk Drive）等を含んでいてもよい。
【００２０】
表示部１４は、設定画面等を表示するものであり、ＬＣＤ（液晶ディスプレイ）や蛍光表示管等である。また、表示部１４は、ＬＥＤ１４１（第１報知部）を備えている。ＬＥＤ１４１は、無線アクセスポイント２１と通信を行うための通信設定の完了を報知するためのものである。操作部１５は、ユーザー操作を受け付けるためのものであり、ＡＶレシーバー１の筐体に設けられた操作ボタンやリモートコントローラである。また、操作部１５は、プッシュボタン１５１（第１操作部）を備えている。プッシュボタン１５１は、無線アクセスポイント２１と通信を行うための通信設定を指示するためのものである。詳細は後述するが、制御部１２は、プッシュボタン１５１の操作により、無線アクセスポイント２１との通信を行うための通信設定を開始する。
【００２１】
デジタル信号送受信部１６は、ＢＤプレーヤー２００から入力されるデジタル信号を受信し、また、ＴＶ受像機３００にデジタル信号を送信する。デジタル信号送受信部１６は、ＢＤプレーヤー２００から入力されるデジタル信号のうち、デジタル音声信号を音声処理部１７に出力する。また、デジタル信号送受信部１６は、ＢＤプレーヤー２００から入力されるデジタル信号のうち、デジタル映像信号を映像処理部１８に出力する。
【００２２】
音声処理部１７は、デジタル信号送受信部１６から出力されたデジタル音声信号に対して、イコライザ処理、Ｄ／Ａ変換処理、音量調整処理、増幅処理等の音声処理を行って、スピーカー１００に出力する。スピーカー１００は、ＡＶレシーバー１１から出力されたアナログ音声信号に基づいて、音声を出力する。映像処理部１８は、デジタル信号送受信部１６から出力されたデジタル映像信号に対して、画質調整、スケーラ変換等の映像処理を行って、ＴＶ受像機３００に出力する。ＴＶ受像機３００は、ＡＶレシーバー１１から出力されたデジタル映像信号に基づいて、映像を表示する。
【００２３】
通信部１９（第１通信部）は、無線ＬＡＮを介して、無線アクセスポイント２１等の外部の機器と通信を行うためのネットワークインターフェースである。制御部１２は、通信部１９により、外部の機器にデータを送信し、また、外部の機器から送信されるデータを受信する。
【００２４】
（無線アクセスポイント）
無線アクセスポイント２１について説明する。図１に示すように、無線アクセスポイント２１は、制御部２２、記憶部２３、表示部２４、操作部２５、通信部２６等を備えている。制御部２１（第２制御部）は、記憶部２２に記憶された制御プログラムに従って、無線アクセスポイント２１を構成する各部を制御する。記憶部２３は、制御部２２の主メモリとして機能するＲＡＭ、制御プログラムを記憶するＲＯＭから構成されている。
【００２５】
表示部２４は、ＬＥＤ２４１（第２報知部）を備えている。ＬＥＤ２４１は、ＡＶレシーバー１１と通信を行うための通信設定の完了を報知するためのものである。操作部２５は、プッシュボタン２５１（第２操作部）を備えている。プッシュボタン２５１は、ＡＶレシーバー１１と通信を行うための通信設定を指示するためのものである。詳細は後述するが、制御部２２は、プッシュボタン２５１の操作により、無線アクセスポイント１１との通信を行うための通信設定を開始する。
【００２６】
通信部２６（第２通信部）は、無線ＬＡＮを介して、ＡＶレシーバー１１等の外部の機器と通信を行うためのネットワークインターフェースである。制御部２２は、通信部２６により、外部の機器にデータを送信し、また、外部の機器から送信されるデータを受信する。
【００２７】
次に、ＡＶレシーバー１１と無線アクセスポイント２１とが無線接続を確立するシーケンスを図２に基づいて説明する。無線アクセスポイント２１において、制御部２２は、ＡＶレシーバー１１が無線アクセスポイント２１を検出するために、ＳＳＩＤ（Service Set IDentifier）等を含むビーコン信号（Beacon）を一定間隔で通信部２６により送信（ブロードキャスト）している。制御部２２は、プッシュボタン２５１の操作により、ＡＶレシーバー１１と通信を行うための通信設定を開始する。まず、制御部２２は、ＳＳＩＤ等に加え、ＷＰＳフラグを含めたビーコン信号を通信部２６により送信する。
【００２８】
ＡＶレシーバー１１においても、制御部１２は、プッシュボタン１５１の操作により、無線アクセスポイント２１と通信を行うための通信設定を開始する。まず、制御部１２は、通信部１９によりＷＰＳフラグを含むビーコン信号を受信すると、通信部１９により無線アクセスポイント２１にプローブ要求信号（Probe Request）を送信する。プローブ要求信号は、無線アクセスポイント２１に対して、通信開始を要求する信号である。
【００２９】
無線アクセスポイント２１において、制御部２２は、通信部２６によりプローブ要求信号を受信すると、通信部２６によりＡＶレシーバー１１にプローブ応答信号（Probe Response）を送信する。プローブ応答信号は、ＡＶレシーバー１１からの通信開始要求に応答する信号である。この後、制御部２２は、ＷＰＳのＰＢＣ方式に基づく通信設定を行う。すなわち、制御部２２は、通信部２６によりＡＶレシーバー１１からＭＡＣアドレス等を取得し、記憶部２３に記憶する処理等を行うことによって、通信設定を行う。
【００３０】
ＡＶレシーバー１１において、制御部１２は、通信部１９によりプローブ応答信号を受信すると、ＷＰＳのＰＢＣ方式に基づく通信設定を行う。すなわち、制御部１２は、通信部１９により無線アクセスポイント２１から送信されるＳＳＩＤ等を取得し、記憶部１３に記憶する処理等を行うことによって、通信設定を行う。制御部１２は、通信設定を完了した後、ＬＥＤ１４１を点灯することにより、通信設定の完了を報知する。制御部１２は、通信設定の完了を報知した後、所定時間ｔ内にプッシュボタン１５１の操作がある場合に、通信部１９により無線アクセスポイント２１に通信設定が完了した旨を通知する。
【００３１】
無線アクセスポイント２１において、制御部２２は、通信設定を完了した後、ＬＥＤ２４１を点灯することにより、通信設定の完了を報知する。制御部２２は、通信設定の完了を報知した後、所定時間ｔ内にプッシュボタン２５１の操作がある場合に、通信部２６によりＡＶレシーバー１１に通信設定が完了した旨を通知する。
【００３２】
ＡＶレシーバー１１、無線アクセスポイント２１は、通信設定が完了した旨の通知を相手側の装置に送信することにより、相手側の装置との無線接続を確立する。すなわち、ＡＶレシーバー１１、無線アクセスポイント２１は、相手側の装置と通信可能な状態となる。また、ＡＶレシーバー１１、無線アクセスポイント２１は、通信設定が完了した旨の通知を相手側の装置に送信した後、アイドル状態となる。
【００３３】
ここで、通信設定の完了を報知した後、所定時間ｔ内にプッシュボタン１５１、２５１の操作がない場合のシーケンスを図３に基づいて説明する。ＡＶレシーバー１１において、制御部１２は、通信設定の完了を報知した後、所定時間ｔ内にプッシュボタン１５１の操作がない場合、通信設定を解除する。すなわち、制御部１２は、記憶部１３に記憶したＳＳＩＤ等を削除する。その後、ＡＶレシーバー１１は、アイドル状態となる。また、無線アクセスポイント２１においては、制御部２２は、通信設定の完了を報知した後、所定時間ｔ内にプッシュボタン２５１の操作がない場合、通信設定を解除する。すなわち、制御部２２は、記憶部２３に記憶したＭＡＣアドレス等を削除する。その後、無線アクセスポイント２１は、アイドル状態となる。
【００３４】
以下、無線アクセスポイント２１との無線接続を確立する場合のＡＶレシーバー１１の処理動作を、図４に示すフローチャートに基づいて説明する。制御部１２は、プッシュボタン１５１の操作があったか否かを判断する（Ｓ１）。制御部１２は、プッシュボタン１５１の操作がないと判断している間は（Ｓ１：Ｎｏ）、Ｓ１の処理を繰り返し実行する。制御部１２は、プッシュボタン１５１の操作があったと判断した場合（Ｓ１：Ｙｅｓ）、通信部１９により無線アクセスポイント２１にプローブ要求信号を送信する（Ｓ２）。次に、制御部１２は、通信部１９により無線アクセスポイント２１から送信されるプローブ応答信号を受信したか否かを判断する（Ｓ３）。制御部１２は、通信部１９によりプローブ応答信号を受信していないと判断した場合（Ｓ３：Ｎｏ）、Ｓ２の処理（プローブ要求信号の送信）を実行する。
【００３５】
制御部１２は、通信部１９によりプローブ応答信号を受信したと判断した場合（Ｓ３：Ｙｅｓ）、ＰＢＣ方式に基づく通信設定を行う（Ｓ４）。次に、制御部１２は、ＬＥＤ１４１を点灯することにより、通信設定の完了を報知する（Ｓ５）。次に、制御部１２は、プッシュボタン１５１の操作があったか否かを判断する（Ｓ６）。制御部１２は、プッシュボタン１５１の操作がないと判断した場合（Ｓ６：Ｎｏ）、通信設定の完了を報知した後、所定時間ｔ経過しているか否かを判断する（Ｓ７）。制御部１２は、通信設定の完了を報知した後、所定時間ｔ経過していないと判断した場合（Ｓ７：Ｎｏ）、Ｓ６の処理（プッシュボタン１５１の操作の有無の判断）を実行する。制御部１２は、通信設定の完了を報知した後、所定時間ｔ経過していると判断した場合（Ｓ７：Ｙｅｓ）、通信設定を解除する（Ｓ８）。
【００３６】
制御部１２は、プッシュボタン１５１の操作があったと判断した場合（Ｓ６：Ｙｅｓ）、通信部１９により無線アクセスポイント２１に通信設定が完了した旨を通知する（Ｓ９）。次に、制御部１２は、通信部１９により無線アクセスポイント２１から送信される、通信設定完了通知を受信した旨の応答を受信したか否かを判断する（Ｓ１０）。制御部１２は、通信部１９により応答を受信していないと判断した場合（Ｓ１０：Ｎｏ）、Ｓ９の処理（通信設定完了通知）を実行する。制御部１２は、通信部１９により応答を受信したと判断した場合（Ｓ１０：Ｙｅｓ）、処理を終了する。
【００３７】
以下、ＡＶレシーバー１１との無線接続を確立する場合の無線アクセスポイント２１の処理動作を、図５に示すフローチャートに基づいて説明する。制御部２２は、プッシュボタン２５１の操作があったか否かを判断する（Ｓ２１）。制御部２２は、プッシュボタン２５１の操作がないと判断している間は（Ｓ２１：Ｎｏ）、Ｓ２１の処理を繰り返し実行する。制御部２２は、プッシュボタン２５１の操作があったと判断した場合（Ｓ２１：Ｙｅｓ）、通信部２６によりＷＰＳフラグを含めたビーコン信号を送信する（Ｓ２２）。次に、制御部２２は、通信部２６によりＡＶレシーバー１１から送信されるプローブ要求信号を受信したか否かを判断する（Ｓ２３）。制御部２２は、通信部２６によりプローブ要求信号を受信していないと判断した場合（Ｓ２３：Ｎｏ）、Ｓ２２の処理（ビーコン信号の送信）を実行する。
【００３８】
制御部２２は、通信部２６によりプローブ要求信号を受信したと判断した場合（Ｓ２３：Ｙｅｓ）、通信部２６によりプローブ応答信号を送信する（Ｓ２４）。次に、制御部２２は、ＰＢＣ方式に基づく通信設定を行う（Ｓ２５）。次に、制御部２２は、ＬＥＤ２４１を点灯することにより、通信設定の完了を報知する（Ｓ２６）。次に、制御部２２は、プッシュボタン２５１の操作があったか否かを判断する（Ｓ２７）。制御部２２は、プッシュボタン２５１の操作がないと判断した場合（Ｓ２７：Ｎｏ）、通信設定の完了を報知した後、所定時間ｔ経過しているか否かを判断する（Ｓ２８）。制御部２２は、通信設定の完了を報知した後、所定時間ｔ経過していないと判断した場合（Ｓ２８：Ｎｏ）、Ｓ２７の処理（プッシュボタン２５１の操作の有無の判断）を実行する。制御部２２は、通信設定の完了を報知した後、所定時間ｔ経過していると判断した場合（Ｓ２８：Ｙｅｓ）、通信設定を解除する（Ｓ２９）。
【００３９】
制御部２２は、プッシュボタン２５１の操作があったと判断した場合（Ｓ２７：Ｙｅｓ）、通信部２６によりＡＶレシーバー１１に通信設定が完了した旨を通知する（Ｓ３０）。次に、制御部２２は、通信部２６によりＡＶレシーバー１１から送信される、通信設定完了通知を受信した旨の応答を受信したか否かを判断する（Ｓ３１）。制御部２２は、通信部２６により応答を受信していないと判断した場合（Ｓ３１：Ｎｏ）、Ｓ３０の処理（通信設定完了通知）を実行する。制御部２２は、通信部２６により応答を受信したと判断した場合（Ｓ３１：Ｙｅｓ）、処理を終了する。
【００４０】
以上説明したように、本実施形態では、ＡＶレシーバー１１において、制御部１２は、通信設定を完了した後、ＬＥＤ１４１により通信設定の完了を報知する。これにより、ユーザーは、そのＡＶレシーバー１１の通信設定が完了したことを把握することができる。また、制御部１２は、通信設定の完了を報知した後、所定時間ｔ内にプッシュボタン１５１の操作がない場合に、通信設定を解除する。これにより、ユーザーは、ＡＶレシーバー１１が通信設定の完了を報知した後、所定時間ｔ待機することにより、無線アクセスポイント２１に無線接続させようとしていないＡＶレシーバー１１の通信設定を解除させることができる。また、制御部１２は、通信設定の完了を報知した後、所定時間ｔ内にプッシュボタン１５１の操作がある場合に、通信部１９により無線アクセスポイント２１に通信設定が完了した旨を通知し、無線アクセスポイント２１との無線接続を確立する。これにより、ユーザーは、ＡＶレシーバー１１が通信設定の完了を報知した後、所定時間ｔ内にプッシュボタン１５１を操作することで、ＡＶレシーバー１１に無線アクセスポイント２１との無線接続を確立させることができる。このように、本実施形態によれば、ユーザーは、プッシュボタン１５１の操作の有無により、無線接続を確立するか否かを選択することができるため、簡単に、所望のＡＶレシーバー１１と無線アクセスポイント２１とを無線接続させることができる。
【００４１】
また、本実施形態では、ＡＶレシーバー１１において、制御部１２は、通信設定を完了した後、ＬＥＤ１４１を点灯させることにより通信設定の完了を報知する。従って、簡単な構成で、通信設定の完了を報知することができる。
【００４２】
また、本実施形態では、無線アクセスポイント２１において、制御部２２は、通信設定を完了した後、ＬＥＤ２４１により通信設定の完了を報知する。これにより、ユーザーは、その無線アクセスポイント２１の通信設定が完了したことを把握することができる。また、制御部２２は、通信設定の完了を報知した後、所定時間ｔ内にプッシュボタン２５１の操作がない場合に、通信設定を解除する。これにより、ユーザーは、無線アクセスポイント２１が通信設定の完了を報知した後、所定時間ｔ待機することにより、ＡＶレシーバー１１に無線接続させようとしていない無線アクセスポイント２１の通信設定を解除させることができる。また、制御部２２は、通信設定の完了を報知した後、所定時間内にプッシュボタン２５１の操作がある場合に、通信部２６により無線アクセスポイント２１に通信設定が完了した旨を通知し、ＡＶレシーバー１１との無線接続を確立する。これにより、ユーザーは、無線アクセスポイント２１が通信設定の完了を報知した後、所定時間ｔ内にプッシュボタン２５１を操作することで、無線アクセスポイント２１にＡＶレシーバー１１との無線接続を確立させることができる。このように、本実施形態によれば、ユーザーは、プッシュボタン２５１の操作の有無により、無線接続を確立するか否かを選択することができるため、簡単に、所望のＡＶレシーバー１１と無線アクセスポイント２１とを無線接続させることができる。
【００４３】
また、本実施形態では、無線アクセスポイント２１において、制御部２２は、通信設定を完了した後、ＬＥＤ２４１を点灯させることにより通信設定の完了を報知する。従って、簡単な構成で、通信設定の完了を報知することができる。
【００４４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４５】
上述の実施形態においては、ＬＥＤ１４１、２４１を点灯させることにより、通信設定の完了を報知する態様を例示した。これに限らず、画像の表示、音の出力等により、通信設定の完了を報知するようになっていてもよい。
【００４６】
上述の実施形態においては、無線端末として、ＡＶレシーバー１１を例示した。これに限らず、無線端末は、ＡＶレシーバー以外の音響機器、映像機器、ＰＣ等であってもよい。
【００４７】
上述の実施形態においては、ルーター機能を備えない無線アクセスポイント２１について説明したが、無線アクセスポイントは、ルーター機能を備えていてもよい。
【産業上の利用可能性】
【００４８】
本発明は、無線端末、及び、無線端末と無線ＬＡＮを介して通信する無線アクセスポイントに好適に採用され得る。
【符号の説明】
【００４９】
１  無線ＬＡＮシステム
１１  ＡＶレシーバー（無線端末）
１２  制御部（第１制御部）
１３  記憶部
１４  表示部
１４１  ＬＥＤ（第１報知部）
１５  操作部
１５１  プッシュボタン（第１操作部）
１９  通信部（第１通信部）
２１  無線アクセスポイント
２２  制御部（第２制御部）
２３  記憶部
２４  表示部
２４１  ＬＥＤ（第２報知部）
２５  操作部
２５１  プッシュボタン（第２操作部）
２６  通信部（第２通信部）
【図１】
2015167322.tif 000003
【図２】
2015167322.tif 000004
【図３】
2015167322.tif 000005
【図４】
2015167322.tif 000006
【図５】
2015167322.tif 000007